(57)【要約】      （修正有）【課題】長期間に亘って消臭作用・抗菌作用・血行促進作用を維持することができる靴の中敷を提供する。【解決手段】靴の中敷の本体１は、靴の内部の底面部に装着可能な平面的形状に成形されている。使用者の足の裏面部と接触する本体１の上面には、足裏接触布１０が配設されている。足裏接触布１０は緯糸１１と経糸１２とによって形成されている。緯糸１１は一般的な材料の織糸であり、経糸１２は、消臭糸１２ａと銀含有糸１２ｂとをより合わせた縒糸によって構成されている。【選択図】図１
0003141908.tif 000002
【実用新案登録請求の範囲】
【請求項１】
靴の内部の底面部に装着可能な平面的形状を有する靴の中敷であって、当該中敷の本体
の上面には、前記靴の使用者の足の裏面部に接触する足裏接触布が配設されており、当該
足裏接触布を形成する織糸のうち少なくとも一部の織糸は、消臭糸と銀含有糸とをより合
わせた縒糸によって構成されていることを特徴とする靴の中敷。
【請求項２】
請求項１に記載の靴の中敷が、内部の底面部に装着されていることを特徴とする靴。
【考案の詳細な説明】
【技術分野】
【０００１】
本考案は、靴の内部の底面部に装着される靴の中敷に関するものである。
【背景技術】
【０００２】
現在、消臭作用や抗菌作用等の作用を有する靴の中敷が既に販売されている。
【０００３】
図３は、このような消臭作用と抗菌作用とを有する従来の靴の中敷の構成を示したもの
である。
【０００４】
図３（ａ）において、１は剛性を有する皮や合成樹脂等の材料によって構成された中敷
の本体である。この本体１は、図３（ｂ）に示したように靴Ｓの内部の底面部に装着可能
な平面的形状に成形されている。
【０００５】
中敷の本体１の上面には、靴の使用者の足の裏面部に接触する足裏接触布２０が配設さ
れている。この足裏接触布２０は、消臭作用を有する材料によって構成された従来からあ
る消臭糸を、織糸とすることによって形成されているものである。
【０００６】
３０は、表面に銀が鍍金された糸である銀鍍金糸である。図３に示した従来例において
は、複数本の銀鍍金糸３０が、足裏接触布２０の上面に露出するように足裏接触布２０に
固定されている。
【０００７】
以上のように構成された従来の靴の中敷においては、消臭糸により形成された足裏接触
布２０により消臭効果を得ることができるとともに、抗菌作用を有する銀が鍍金されてい
る銀鍍金糸３０により抗菌効果を得ることができる。さらに、導電率が高い金属である銀
を鍍金した銀鍍金糸３０が配設されている従来の靴の中敷を、図３（ｂ）に示したように
靴Ｓに装着した場合には、使用者の足の血行を促進する血行促進効果が得られることが知
られている。
【考案の開示】
【考案が解決しようとする課題】
【０００８】
しかしながら、図３に示したような従来の靴の中敷においては、表面に銀が鍍金されて
いる銀鍍金糸３０によって抗菌効果や血行促進効果を得る構成となっているために、靴の
使用者の足の裏面部との摩擦によって銀鍍金糸３０の表面に鍍金されている銀が剥がれ落
ちた場合には、その抗菌効果や血行促進効果が著しく低下してしまうという問題点があっ
た。殊に、使用者の運動量の多い作業靴や運動靴に従来の靴の中敷を装着した場合には、
その抗菌効果や血行促進効果は短時間しか得ることができないという問題点があった。
【課題を解決するための手段】
【０００９】
以上の問題点を解消するために、本考案は、靴の内部の底面部に装着可能な平面的形状
を有する靴の中敷であって、当該中敷の本体の上面には、前記靴の使用者の足の裏面部に
接触する足裏接触布が配設されており、当該足裏接触布を形成する織糸のうち少なくとも
一部の織糸は、消臭糸と銀含有糸とをより合わせた縒糸によって構成されていることを特
徴とするものである。
【考案の効果】
【００１０】
本考案によれば、長期間に亘って消臭作用・抗菌作用・血行促進作用を維持することが
できる靴の中敷を提供することができる。
【考案を実施するための最良の形態】
【００１１】
以下、図面を用いて本考案の実施例を説明する。
【実施例１】
【００１２】
図１（ａ）は、本考案の実施例１の構成を示したものである。
【００１３】
図１（ａ）において、１は中敷の本体であり、１０は、使用者の足の裏面部に接触する
ように本体１の上面に配設された足裏接触布である。
【００１４】
本実施例１において、本体１は従来例と同様に、剛性を有する皮や合成樹脂等の材料か
らなり、靴の内部の底面部に装着可能な平面的形状に成形されている。
【００１５】
本体１の上面に配設されている足裏接触布１０は、緯糸１１と経糸１２とによって形成
されている。
【００１６】
本実施例１においては、緯糸１１は、一般の布地を構成している綿や合成樹脂等の材料
からなる通常の織糸が用いられている。
【００１７】
また、経糸１２は、図１（ｂ）に示したように、消臭作用を有する消臭糸１２ａと銀を
含有している銀含有糸とをより合わせた縒糸を織糸として用いている。
【００１８】
ここで、消臭糸１２ａは従来例の足裏接触布の織糸と同様の材料からなる消臭作用を有
する一般的な消臭糸である。銀含有糸１２ｂは、糸の繊維を構成する材料自体の内に銀が
含まれている糸であり、本実施例１では、米国  ＳＡＵＱＵＯＩＴ  ｉｎｄｕｓｔ  ｒｉ
ｅｓ  Ｉｎｃ．製のエクススタティック（Ｘ−ｓｔａｔｉｃ）を銀含有糸１２ｂとして用
いている。
【００１９】
なお図１（ａ）に示した本実施例１においては、消臭糸１２ａと銀含有糸１２ｂとの縒
糸を、足裏接触布１０を形成する織糸のうち経糸１２として用いているが、この縒糸を足
裏接触布１０を形成する緯糸１１および経糸１２という全ての織糸として用いてもよく、
さらに、この縒糸を、足裏接触布１０を形成する緯糸１１の一部または経糸１２の一部と
して用いても本考案の効果を得ることができる。
【００２０】
以上のように構成された本実施例１に係る靴の中敷は、図２（ａ）に示すように、足裏
接触布１０が上側となるようにして靴Ｓの内部の底面部に装着する。
【００２１】
このように靴Ｓに本実施例１を装着した場合、足裏接触布１０の構成要素である消臭糸
１２ａにより消臭効果を得ることができるとともに、銀含有糸１２ｂにより抗菌効果・血
行促進効果を得ることができる。
【００２２】
ここで、本実施例１においては、糸の繊維を構成する材料自体の内に銀が含まれている
銀含有糸１２ｂが、足裏接触布の構成要素となっているために、使用者の足の裏面部との
摩擦によって銀が無くなるようなことはないので、その抗菌作用や血行促進作用は長期間
に亘って維持される。
【００２３】
なお、図２（ｂ）に示したような使用者の運動量が多い運動用の靴Ｓの場合には、その
靴Ｓの製造過程において、足裏接触布１０を上面に位置させて中敷の本体１と靴Ｓの本体
が一体化するように本実施例１を靴Ｓに装着するようにしても本考案の効果は変りなく得
ることができる。
【図面の簡単な説明】
【００２４】
【図１】本考案の実施例１の構成を示す構成図である。
【図２】本考案の実施例１の使用方法の説明図である。
【図３】従来の靴の中敷の構成を示す構成図である。
【符号の説明】
【００２５】
１  中敷の本体
１０，２０  足裏接触布
１１  緯糸
１２  経糸
１２ａ  消臭糸
１２ｂ  銀含有糸
３０  銀鍍金糸
Ｓ  靴
【図１】
0003141908.tif 000003
【図２】
0003141908.tif 000004
【図３】
0003141908.tif 000005